(57)【要約】【課題】第１に、随時何回でも分解する楽しみや、組立てる喜びを体感でき、第２に、損傷したパーツ板のみを修理，取換交換可能であり、第３に、分解掃除も可能で、内部等を清潔に保て、第４に、不使用時は分解することにより、保管スペースを取らず、第５に、パーツ板を透明体等とした場合は、収納された対象物を外部から鑑賞したり確認できる、装飾ケースを提案する。【解決手段】この装飾ケース１は、平板状をなすパーツ板２と、パーツ板２に埋め込まれた磁石３を備えており、各パーツ板２が、磁石３間の磁力により組み付けられ、もって対象物４を収納可能である。すなわち全体が、略函体形状に組立てられており、磁石３は、パーツ板２の少なくとも四隅部に埋め込まれると共に、隣接するパーツ板２間で対峙位置しており、対峙する相互間が異種磁極に設定され、磁力として吸引力が作用する。【選択図】図１
2006199307.tif 000002
【特許請求の範囲】
【請求項１】
肉厚を備えた平板状をなすパーツ板と、該パーツ板に埋め込まれた磁石と、を備えており、各該パーツ板が、該磁石間の磁力により組み付けられ、もって対象物を収納可能となっていること、を特徴とする装飾ケース。
【請求項２】
請求項１に記載した装飾ケースにおいて、全体が、略函体形状に組立てられ、該パーツ板は、正方形や長方形をなしており、
該磁石は、該パーツ板の少なくとも四隅部に埋め込まれると共に、隣接する該パーツ板間のものが対峙位置しており、対峙する相互間の磁極が異種に設定され、磁力として吸引力が作用すること、を特徴とする装飾ケース。
【請求項３】
請求項２に記載した装飾ケースにおいて、該磁石は、埋め込まれた端面が該パーツ板から露出しており、
該パーツ板は、隣接するものが直交する位置関係にあり、隅部において少なくとも２個の該磁石が直角の位置関係で埋め込まれたものが、中心的に使用されていること、を特徴とする装飾ケース。
【請求項４】
請求項３に記載した装飾ケースにおいて、該パーツ板は、透明体その他の透光体よりなり、前面，背面，左側面，右側面，上面，底面の配置関係において、少なくとも５面を形成しており、内部に該対象物の収納空間が存すること、を特徴とする装飾ケース。
【請求項５】
請求項４に記載した装飾ケースにおいて、該パーツ板は、少なくとも１面について開口部が形成されていること、を特徴とする装飾ケース。
【請求項６】
請求項４に記載した装飾ケースにおいて、該パーツ板は、面によっては複数枚のパーツの集合体よりなり、該パーツ相互間は、対峙位置して埋め込まれた異種磁極の磁石間の吸引力により、平面的に組み付けられていること、を特徴とする装飾ケース。
【請求項７】
請求項２に記載した装飾ケースにおいて、該パーツ板は、上下対をなして用いられると共に、上下それぞれ、広い中央開口の外周縁フレームを形成しており、
布，紙，その他のフレキシブルで平坦な該対象物が、外周端部を上下の該パーツ板間に挟み込まれることにより、収納可能となっていること、を特徴とする装飾ケース。
【請求項８】
請求項２に記載した装飾ケースにおいて、該パーツ板は、複数枚重ねて用いられており、中間に介装される該パーツ板は、各種形状の開口が形成されていること、を特徴とする装飾ケース。
【発明の詳細な説明】
【技術分野】
【０００１】
本発明は、装飾ケースに関する。例えば、ミニチュア組立てファニチャーとして、各種小物を収納するために用いられる、装飾ケースに関する。
【背景技術】
【０００２】
この種の装飾ケースは、一体的・固定的な略函体形状をなし、内部に各種小物等の対象物を、収納可能となっている。
すなわち、この種の装飾ケースは、一定函体形状に成形，組立て，保持されており、代表的には、前面，背面，左側面，右側面，上面，底面のうち、５面が相互固定された壁面とされ、残りの１面が、開放されるか蓋や扉となっている。
そして内部に、例えば、被服，布製身回品，アクセサリー，化粧用具，整髪用具，時計，メガネ，文房具類，ピル，飲料ボトル，食料品，ペット関連品、等々の各種小物が、収納される。
【発明の開示】
【発明が解決しようとする課題】
【０００３】
ところで、このような従来の装飾ケースについては、次の問題が指摘されていた。
《第１の問題点について》
第１に、自在に分解したり、組立てたりできるものではなく、それ自体で、楽しみや喜び等の趣味感を伴うものではなかった。
すなわち、この種従来例の装飾ケースは、一体物として一定函体形状に、一体的・固定的に成形，組立て，保持されており、手軽に分解したり再組立てして、分解する楽しみや組立てる喜びを体感できるものではなく、趣味感に乏しかった。
【０００４】
《第２の問題点について》
第２に、部分的に損傷した場合に、その部分だけを、取換交換したり修理したりすることができなかった。
すなわち、この種従来例の装飾ケースは、一体物として一定函体形状に、一体的・固定的に成形，組立て，保持されており、壁面パーツ毎に分解して、再度組立てることは、ほとんど困難であった。ある壁面パーツのみが部分的に損傷した場合でも、全体を取換交換することを要し、メンテナンス面やコスト面に問題が指摘されていた。
【０００５】
《第３の問題点について》
第３に、内部や外部を、隅々まで掃除することが容易でなく、特に内部を清潔に保ちにくかった。
すなわち、この種従来例の装飾ケースは、一体物として一定函体形状に、一体的・固定的に成形，組立て，保持されており、分解掃除が困難であった。これに対し、内部に収納される対象物や手先等からは、出し入れや収納保管に伴い、汚れ，垢，ゴミ，ホコリ等が生じ易く、内外に付着することが多かった。そこで、内部等を清潔に保てない、という問題が指摘されていた。
【０００６】
《第４の問題点について》
第４に、不使用時において保管スペースを取り、スペース的に邪魔になることが多々あった。
すなわち、この種従来例の装飾ケースは、一体物として一定函体形状に、一体的・固定的に成形，組立て，保持されると共に、内部に対象物の収納空間が形成されることに鑑み、対応した容積・体積を備えている。そこで、不使用時に場所を取る、という問題が指摘されていた。
【０００７】
《第５の問題点について》
第５に、内部に収納された対象物を、外部から見れないことが多く、収納された対象物の鑑賞や確認がスムーズでなかった。
すなわち、この種従来例の装飾ケースは、取り扱いや使用に極めて注意を要する一体ガラス製品等の透明品を除き、一般的に遮光板製よりなり、内部に収納された対象物を鑑賞用に見せたり、確認用に見たりすることが、そのままでは困難である、という問題が指摘されていた。
【０００８】
《本発明について》
本発明に係る装飾ケースは、このような実情に鑑み、上記従来例の課題を解決すべく、発明者の鋭意研究努力の結果なされたものである。
そして、各パーツ板が磁石にて組み付けられていることを、特徴とする。すなわち磁石が、各パーツ板の四隅部において、異種磁極となるように対峙して埋め込まれると共に、２個の磁石が直角に埋め込まれたパーツ板が、中心的に使用されていることを、特徴とする。
もって本発明は、第１に、何回でも自在に分解，組立て可能であり、第２に、損傷したパーツ板のみを、修理や取換交換可能であり、第３に、分解掃除も可能で、内部等を清潔に保つことができ、第４に、不使用時は分解することにより、保管スペースを取らず、第５に、パーツ板を透明体等とした場合は、収納された対象物を外部から鑑賞したり確認できる、装飾ケースを提案することを目的とする。
【課題を解決するための手段】
【０００９】
《請求項について》
このような課題を解決する本発明の技術的手段は、次のとおりである。まず請求項１については、次のとおり。
請求項１の装飾ケースは、肉厚を備えた平板状をなすパーツ板と、該パーツ板に埋め込まれた磁石と、を備えている。そして各該パーツ板が、該磁石間の磁力により組み付けられ、もって対象物を収納可能となっていること、を特徴とする。
請求項２については、次のとおり。請求項２の装飾ケースは、請求項１において、全体が、略函体形状に組立てられており、該パーツ板は、正方形や長方形をなしている。該磁石は、該パーツ板の少なくとも四隅部に埋め込まれると共に、隣接する該パーツ板間のものが対峙位置しており、対峙する相互間の磁極が異種に設定され、磁力として吸引力が作用すること、を特徴とする。
請求項３については、次のとおり。請求項３の装飾ケースは、請求項２において、該磁石は、埋め込まれた端面が該パーツ板から露出している。該パーツ板は、隣接するものが直交する位置関係にあり、隅部において少なくとも２個の該磁石が直角の位置関係で埋め込まれたものが、中心的に使用されていること、を特徴とする。
【００１０】
次に請求項４については、次のとおり。請求項４の装飾ケースは、請求項３において、該パーツ板は、透明体その他の透光体よりなる。そして、前面，背面，左側面，右側面，上面，底面の配置関係において、少なくとも５面を形成しており、内部に対象物の収納空間が存すること、を特徴とする。
請求項５については、次のとおり。請求項５の装飾ケースは、請求項４において、該パーツ板は、少なくとも１面について開口部が形成されていること、を特徴とする。
請求項６については、次のとおり。請求項６の装飾ケースは、請求項４において、該パーツ板は、面によっては複数枚のパーツの集合体よりなり、該パーツ相互間は、対峙位置して埋め込まれた異種磁極の磁石間の吸引力により、平面的に組み付けられていること、を特徴とする。
【００１１】
請求項７については、次のとおり。請求項７の装飾ケースは、請求項２において、該パーツ板は、上下対をなして用いられると共に、上下それぞれ、広い中央開口の外周縁フレームを形成している。そして、布，紙，その他のフレキシブルで平坦な該対象物が、外周端部を上下の該パーツ板間に挟み込まれることにより、収納可能となっていること、を特徴とする。
請求項８については、次のとおり。請求項８の装飾ケースは、請求項２において、該パーツ板は、複数枚重ねて用いられている。そして、中間に介装される該パーツ板は、各種形状の開口が形成されていること、を特徴とする。
【００１２】
《作用について》
本発明に係る装飾ケースは、このようになっているので、次のようになる。
（１）この装飾ケースは、各パーツ板が、磁石の吸引力により組み付けられ、もって全体が、略函体形状に組立てられている。磁石は、パーツ板の四隅部に埋め込まれ、パーツ板間において異種磁極で対峙位置している。
（２）代表的には、パーツ板は、透明体等の透光体よりなり、隣接するものが直交する位置関係にある。そしてパーツ板は、前面，背面，左側面，右側面，上面，底面の配置関係において、少なくとも５面を形成しており、隅部に２個の磁石が直角に埋め込まれたものが、中心的に使用されることが多い。
（３）又、パーツ板は、面によっては開口部を形成したり、複数枚のパーツの集合体とすることも可能であり、パーツ相互間は、埋め込まれた異種磁極の磁石の吸引力により、平面的に組み付けられる。
（４）この装飾ケースは、このように略函体形状に組立てられ、内部の収納空間に、各種小物が対象物として収納される。
（５）なお、特殊な装飾ケースとして、例えば、外周縁フレームを形成するパーツ板を上下対で用い、布，紙等よりなる対象物を挟み込んで収納したり、又、例えばパーツ板を重ねて用いると共に、中間のパーツ板の開口にピルを収納したり、ビーズ等を収納してスチール壁等に磁石の吸引力にて組み付けたものも考えられる。
（６）そして、この装飾ケースは、簡単容易に分解可能である。すなわち、各パーツ板について、磁石の吸引力に抗して外方へ力を加え、もって前後左右等に倒して、組み付けを解くことにより、分解可能である。
（７）又、簡単容易に組立て可能である。すなわち、分解された各パーツ板を、所定位置関係に近づけて置くだけで、後は磁石間の吸引力により、略函体形状に正確に復元可能である。
【００１３】
（８）そこで、本発明の装飾ケースによると、次のようになる。
第１に、簡単容易に分解，組立て可能であり、何回でも、分解する楽しみや組立てる喜びを体感できる。
第２に、分解，組立て可能なので、あるパーツ板が損傷した場合は、他のパーツ板との組み付けを解いて分解，除去した後、修理品や取換品を所定位置関係に近づけて置くだけで、磁石間の吸引力により他のパーツ板に組み付けられる。このように、簡単容易に修理や取換が可能である。
第３に、対象物の収納保管に伴い、汚れ，垢，ゴミ，ホコリ等が付着し易いが、分解，組立て可能なので、各パーツ板に分解して洗浄等することにより掃除でき、清潔に保つことができる。
第４に、不使用時は、分解して積み重ねることにより、スペースを取らずコンパクトに保管できる。
第５に、パーツ板を透明体等とした場合は、埋め込まれた磁石がアクセント的に浮き出し、独特の趣味感が生じると共に、収納された対象物を見せて鑑賞させたり、見て理解，確認することができる。
【発明の効果】
【００１４】
《本発明の特徴》
本発明に係る装飾ケースは、このように、各パーツ板が磁石にて組み付けられていることを、特徴とする。すなわち磁石が、各パーツ板の四隅部において、異種磁極となるように対峙して埋め込まれると共に、２個の磁石が直角に埋め込まれたパーツ板が、中心的に使用されていることを、特徴とする。
そこで本発明は、次の効果を発揮する。
【００１５】
《第１の効果》
第１に、随時何回でも自在に、分解そして組立て可能であり、ケースを分解する楽しみや組立てる喜びを、体感できる。
すなわち、本発明の装飾ケースは、簡単容易に分解してバラすことができると共に、事後、簡単容易に略函体形状に復元することができる。このように、前述したこの種従来例の装飾ケースとは異なり、バラバラに分解する楽しみや組立てて作る喜びを、手軽に随時何回でも経験できる等、趣味感に優れている。
【００１６】
《第２の効果》
第２に、損傷したパーツ板のみを、修理や取換交換可能であり、メンテナンス面やコスト面に優れている。
すなわち、本発明の装飾ケースは、分解可能そして組立可能である。そこで、使用により損傷したパーツ板のみを、簡単容易に修理や取換交換でき、前述したこの種従来例のように全体を取換交換する必要がなく、メンテナンス面やコスト面に優れている。
【００１７】
《第３の効果》
第３に、分解掃除が可能であり、簡単容易に、内部等を隅々まで清潔に保つことができる。
すなわち、本発明の装飾ケースは、収納される対象物等から発生した汚れ，垢，ゴミ，ホコリ等が付着し易いが、分解可能そして組立可能なので、前述したこの種従来例に比し、簡単容易かつ確実に内部等を清潔に保つことができる。
【００１８】
《第４の効果》
第４に、不使用時は、分解することにより保管スペースを取らず、邪魔になることもない。
すなわち、本発明の装飾ケースは、分解可能そして組立可能であり、不使用時は分解することにより、スペースを取らず保管でき、前述したこの種従来例に比し、不使用時の保管スペースが大幅に削減される。
【００１９】
《第５の効果》
第５に、パーツ板を透明体等とした場合は、収納された対象物を、鑑賞したり確認したりできる。
すなわち、本発明の装飾ケースは、パーツ板を透明体等とした場合は、磁石が浮き出る趣味感が生じると共に、収納された対象物を鑑賞や確認でき、その際、適当なパーツ板を分解することにより意外性を伴いつつ対象物を取り出すこともできる。そこで、前述したこの種従来例の一般品に比し、これらの困難性が解消される。又、この種従来例の一体ガラス製品等に比し、取り扱いや使用に注意を要することもない。
このように、この種従来例に存した課題がすべて解決される等、本発明の発揮する効果は、顕著にして大なるものがある。
【発明を実施するための最良の形態】
【００２０】
《図面について》
以下、本発明に係る装飾ケースを、図面に示した、発明を実施するための最良の形態に基づいて、詳細に説明する。図１〜図９は、本発明を実施するための最良の形態の説明に供する。
そして、図１は第１例を示し、（１）図は分解斜視図、（２）図は概略斜視図である。図２は第２例を示し、（１）図は分解斜視図、（２）図は概略斜視図である。図３は第３例を示し、（１）図は分解斜視図、（２）図は概略斜視図である。図４は概略斜視図であり、（１）図は第４例を、（２）図は第５例を、（３）図は第６例を、（４）図は第７例を示す。
図５は第８例を示し、（１）図は分解斜視図、（２）図は概略斜視図である。図６は第９例を示し、（１）図は分解斜視図、（２）図は概略斜視図である。図７は第１０例を示し、（１）図は分解斜視図、（２）図は概略斜視図である。図８は第１１例を示し、（１）図は分解斜視図、（２）図は概略斜視図である。図９の（１）図は、第１２例の分解斜視図、（２）図は、同第１２例の概略斜視図である。（３）図は、同第１３例の正面図、（４）図は、第１３例の側断面図である。
【００２１】
《装飾ケース１の概要について》
まず、本発明の装飾ケース１の概要について述べる。この装飾ケース１は、組立式よりなり、肉厚を備えた平板状をなすパーツ板２と、パーツ板２に埋め込まれた磁石３と、を備えている。そして各パーツ板２が、磁石３間の磁力により組み付けられ、もって全体が略函体形状に組立てられて、対象物４を収納可能となっている。
そして、この装飾ケース１は、ミニチュアファニチャー等の小物家具として、更には、その他の各種小物を対象物４として収納する、小物入れ，収納ボックス，ケース，トレー，ストッカー，入れ物，ホルダー，ショーケース，飾り棚，壁掛け飾り、等々として使用される。
収納される対象物４たる各種小物としては、（１）シャツ，下着，その他の被服、（２）ハンカチ，タオル，その他の布製身回品、（３）指輪，ネックレス，その他の装身具やアクセサリー、（４）化粧品，香料，その他の化粧用品や整髪用具、（５）時計やメガネ、（６）紙類，印刷物，文房具類、（７）ピル，その他の薬剤、（８）菓子，調味料，飲料ボトル，その他の食料品、（９）ペットの餌，ベッド，ペット自体，その他のペット関連品、（１０）その他各種の小物品が考えられる。
装飾ケース１は、概略このようになっている。
【００２２】
《パーツ板２について》
次に、この装飾ケース１のパーツ板２について述べる。パーツ板２は、正方形や長方形の平板状をなすと共に、磁石３を埋め込むに足る肉厚を備えており、表裏２面の平面と外周端面である４面の肉厚面とで、形成されている。パーツ板２の材料としては、アクリルが代表的であるが、その他のプラスチックや非磁性材も使用可能である。又、透明体が代表的であるが、半透明体その他の透光体も可能であり、着色も自在に可能であり、遮光体も使用可能である。
そしてパーツ板２は、代表的には、隣接するものが直交して接する位置関係にあり、略函体形状をなす全体の前面Ａ，背面Ｂ，左側面Ｃ，右側面Ｄ，上面Ｅ，底面Ｆの配置関係において、少なくとも５面を形成しており、内部に対象物４の収納空間５が存している。
パーツ板２は、このようになっている。
【００２３】
《磁石３について》
次に、この装飾ケース１の磁石３について述べる。磁石３は、永久磁石よりなり、パーツ板２の少なくとも四隅部に埋め込まれると共に、埋め込まれた端面がパーツ板２から露出している。
すなわち、パーツ板２の少なくとも四隅部には、磁石３埋め込み用の有底めくら孔が、その平面や肉厚面に対して直角に穿設されており、この孔に磁石３が嵌挿，接着等により埋め込まれている。
埋め込まれた磁石３の頂面側の端面は、パーツ板２の平面や肉厚面と面一に露出している。磁石３の形状は、図示例では小さな短円柱状をなしているが、その他各種形状の磁石３が可能であり、パーツ板２の端縁に沿って長棒状をなすものも可能である。
そして多くの場合、パーツ板２は四隅部等の隅部において、少なくとも２個の磁石３が直角の位置関係で埋め込まれたものが、中心的に使用されている。つまりパーツ板２は、四隅部等の隅部において、その平面と肉厚面とに、それぞれ磁石３が埋め込まれ、もって少なくとも２個の磁石３が、直角方向の位置関係で埋め込まれている。
【００２４】
なお、パーツ板２の四隅部等の隅部について、３個以上の磁石３を埋め込むことも、勿論可能である。例えば、同一面について２個並べて埋め込んだり、表裏の平面について対向してそれぞれ埋め込んだり、直交する肉厚面についてそれぞれ埋め込んだり、３方向にわたって埋め込むことも考えられる。
又、このように四隅部のみならず、パーツ板２の平面端縁や肉厚面について、一定間隔を置いて並ぶように直列的・連続的に列設することも可能であり、この場合には、収納される対象物４に対する耐荷重性能が向上すると共に、独特の趣味感や整列感が醸し出される、という利点がある。
更に、パーツ板２としては、四隅部に直角方向の位置関係で埋め込まれた２個の磁石３を有するメインタイプの外、四隅部の平面又は肉厚面に一方向に単数又は複数埋め込まれた磁石３を有するサブタイプも使用可能であり、このサブタイプのものは多くの場合、上述したメインタイプのものと併用される。又、メインタイプとサブタイプをミックスしたタイプのパーツ板２も、考えられる。
【００２５】
そして、このように埋め込まれる磁石３は、隣接するパーツ板２間のものが対峙位置しており、対峙位置する相互間の磁極が異種に設定され、もって磁力として吸引力が作用している。
すなわち、装飾ケース１は略函体形状のものが代表的であり、パーツ板２は、隣接するものが直交して接する位置関係にある。そして、このようなパーツ板２の隅部に埋め込まれる磁石３は、隣接するパーツ板２間において、位置的に対峙するように設定されると共に、対峙するものの磁極が、一方はＮ極に他方はＳ極に設定されている。
そこで、隣接するパーツ板２間において、対峙する一方のＮ極の磁石３と、他方のＳ極の磁石３との間に吸引力が働き、もってパーツ板２間が吸着されるようになっている。なお、磁石３間の磁力つまり吸引力の強さについては、装飾ケース１の使用目的に応じ、収納される対象物４に対応して要求される耐荷重性能の程度や、分解に際して要求される引張力等の程度、等を勘案して設定される。
磁石３は、このようになっている。
【００２６】
《第１例，第２例，第３例について》
次に、図１，図２，図３に示した、第１例，第２例，第３例の装飾ケース１について述べる。
図１の第１例の装飾ケース１はシャツケースであり、内部の収納空間５に、対象物４として例えばＴシャツ等が収納される。そして、前面Ａ，背面Ｂ，左側面Ｃ，右側面Ｄ，上面Ｅ，底面Ｆの６面が、それぞれ１枚の透明体のパーツ板２で形成され、もって全体が、透明な函体形状に組立てられている。
そして例えば、前面Ａ，背面Ｂのパーツ板２として、直角方向に磁石３が埋め込まれた前述したメインタイプのものが使用され、左右側面Ｃ，Ｄと蓋である上面Ｅと底である底面Ｆのパーツ板２として、一方向に磁石３が埋め込まれた前述したサブタイプのものが使用されている。
図２の第２例の装飾ケース１はボトルケースであり、内部の収納空間５に、対象物４としてペットボトルが収納される。透明体よりなる６面のパーツ板２の構成等は、上述した第１例のものに準じる。
図３の第３例の装飾ケース１はショーケースであり、内部の収納空間５に、対象物４として、例えば宝石や時計等が収納される。透明体よりなる５面のパーツ板２の構成等は、上述した第１例のものに準じるが、前面は開放されており、左右側面Ｃ，Ｄと背面Ｂのパーツ板２として、前述したサブタイプのものが、上面Ｅと底面Ｆのパーツ板２として、前述したミックスタイプのものが使用されている。
第１例，第２例，第３例は、このようになっている。
【００２７】
《第４例，第５例，第６例，第７例について》
次に、図４の（１）図，（２）図，（３）図，（４）図に示した、第４例，第５例，第６例，第７例の装飾ケース１について述べる。
図４の（１）図の第４例の装飾ケース１は、ティッシュケースであり、内部の収納空間５に、対象物４としてティッシュボックスが収納される。６面の透明体よりなるパーツ板２等の構成は、例えば前述した第１例，第２例，第３例のものに準じるが、上面Ｅのパーツ板２中央部に、ティッシュ取り出し用の開口部６が形成されている。
このように、パーツ板２の少なくとも１面に開口部６が形成された、装飾ケース１が考えられる。
例えば、図４の（２）図の第５例の装飾ケース１は、ペットフードのトレイホルダーであり、上面Ｅのパーツ板２に、例えば２個の開口部６が形成されており、対象物４として例えばドッグフードトレイや水トレイが、開口部６を介して内部の収納空間５上に保持される。
図４の（３）図の第６例の装飾ケース１は、ドライヤーボックスであり、左右側面Ｃ，Ｄのパーツ板２に、それぞれ開口部６が形成されると共に、内部の収納空間５に、対象物４としてドライヤー（図示せず）が収納されている。そして、両開口部６を介し、左右の手先を差し込んで、乾かすようになっている。
図４の（４）図の第７例の装飾ケース１は、ペットフードのキャニスターであり、前面Ａのパーツ板２の上部に開口部６が形成されると共に、内部の収納空間５に、対象物４として例えばドッグフードが収納される。そして、開口部６がドッグフードのよそり口となるが、開口部６は蓋７付となっており、この蓋７は、開口部６周囲との間に埋め込まれた異種磁極の磁石３間の吸引力により、開口部６を閉鎖可能となっている。
この第７例のように、１面（例えば前面Ａ）のパーツ板２を、その対向面（例えば背面Ｂ）より、寸法（例えば上下寸法）を小さく設定することにより、その上部又は下部に開口部６を形成することも可能である。なお、この第５例，第６例，第７例において、透明体よりなる６面のパーツ板２の構成等は、前記各例について前述した所に準じる。
第４例，第５例，第６例，第７例は、このようになっている。
【００２８】
《第８例，第９例について》
次に、図５，図６に示した第８例，第９例の装飾ケース１について述べる。図５の第８例の装飾ケース１は、ペットのプレイスペース（犬囲い）であり、図６の第９例の装飾ケース１は、ペットハウス（犬小屋）であり、内部の収納空間５に対象物４として犬が収納される。
そして、これらの装飾ケース１のパーツ板２は、面によっては複数枚のパーツ８の集合体よりなり、パーツ８相互間は、対峙位置して埋め込まれた異種磁極の磁石３間の吸引力により、平面的に組み付けられている。
すなわち、図５の第８例の装飾ケース１では、左右側面Ｃ，Ｄのパーツ板２が、パーツ８の平面的集合体よりなっており、上面Ｅは開放されている。図６の第９例は、６面を備えると共に、左右側面Ｃ，Ｄと前面Ａ，背面Ｂのパーツ板２が、パーツ８の平面的集合体よりなっている。パーツ８相互間は、その肉厚面に対峙して埋め込まれた異種磁極の磁石３の吸引力により、同一平面をなして組み付けられている。
そして、適宜選択された単数又は隣接する複数のパーツ８のみについて、他のパーツ８やパーツ板２の磁石３との吸引力に抗して力を加えて、組み付けを解くことにより、該部分のみを分解，開放し、もって例えば犬の出入口として使用する。なお、この第８例，第９例において、透明体よりなる各面のパーツ板２の構成等は、前記各例について前述した所に準じる。
第８例，第９例は、このようになっている。
【００２９】
《第１０例，第１１例について》
次に、図７，図８に示した第１０例，第１１例の装飾ケース１について述べる。図７の第１０例の装飾ケース１は、ペットのベッドであり、図８の第１１例の装飾ケース１は、ペットのシーツホルダーやポスターホルダーである。
これらの例の装飾ケース１のパーツ板２は、上下対をなして用いられると共に、それぞれ、広い中央開口９の外周縁フレームを形成している。そして、布，紙，その他のフレキシブルで平坦な対象物４が、その外周端部を上下のパーツ板２間に挟み込まれることにより、収納可能となっている。
【００３０】
すなわち、図７の第１０例の装飾ケース１は、上面Ｅと底面Ｆが共に開放された上下１対の略函体形状の上部と下部よりなり、上部と下部はそれぞれ、磁石３間の吸引力にて組み付けられた前面Ａ，背面Ｂ，左側面Ｃ，右側面Ｄのパーツ板２よりなっている。
もって、上部，下部共にそれぞれ、中央に広い中央開口９が形成され、その空間エリアが収納空間５となっており、各パーツ板２は、このような中央開口９つまり収納空間５を囲う外周縁フレームとなっている。
そして、上部と下部のパーツ板２間は、上下対峙位置してその肉厚面に埋め込まれた異種磁極の磁石３間の吸引力にて、組み付けられるが、その間にペット用のシーツクッション等の対象物４の外周端部が、挟み込み保持される。もって、上部と下部間に配置された対象物４つまりペット用のシーツクッションが、ペットのベッドとして使用される。
又、図８の第１１例の装飾ケース１は、上述した図７の第１０例に準じるが、パーツ板２が平面的に組み付けられている点が異なっている。
すなわち第１１例において、各パーツ板２は、その平面を倒して（第１０例では平面が立てられている）用いられている。つまり各パーツ板２は、その肉厚面を図面上では前後，左右に向け、平面を図面上では上下に向けて用いられており、対をなす上部と下部のパーツ板２間も、平面にて磁石３間の吸引力にて組み付けられている。
そこで全体的には、対をなして重なった２枚の略額縁状をなし、その間に、対象物４として例えばペット用のシーツやポスター等が、その外周端部にて挟み込み保持される。
なお、この第１０例，第１１例において、透明体よりなる４面のパーツ板２の構成等は、前記各例について前述した所に準じる。
第１０例，第１１例は、このようになっている。
【００３１】
《第１２例，第１３例について》
次に、図９の（１）図，（２）図に示した第１２例、および（３）図，（４）図に示した第１３例の装飾ケース１について述べる。
図９の（１）図，（２）図の第１２例の装飾ケース１は、ピルケースであり、図９の（３）図，（４）図の第１３例の装飾ケース１は、壁飾りである。
そして、これらの装飾ケース１のパーツ板２は、複数枚、平面を重ねて用いられており、中間面Ｇに介装されるパーツ板２には、各種形状の開口１０が形成されている。
【００３２】
すなわち、図９の（１）図，（２）図の第１２例の装飾ケース１は、５枚１組の透明体よりなるパーツ板２が、サンドイッチ状に重ねられると共に、それらの表裏の平面に埋め込まれて対峙位置する異種磁極の磁石３間の吸引力にて、パーツ板２間が組み付けられ、全体が組立てられている。
そして、上面Ｅ，底面Ｆ，中心の中間面Ｇを形成するパーツ板２は、それぞれ平板よりなり、これらの間に介装される中間面Ｇを形成するパーツ板２には、６個の開口１０や１個の大きな開口１０が形成されている。そして、このような開口１０にて収納空間５が形成され、対象物４としてピルが収納される。
図９の（３）図，（４）図の第１３例の装飾ケース１は、３枚１組の透明体よりなるパーツ板２が、サンドイッチ状に重ねられると共に、第１２例に準じ磁石３間の吸引力にて組み付けられ、全体が組立てられている。
そして、前面Ａと背面Ｂを形成するパーツ板２は、それぞれ透光体の平板よりなり、介装される中間面Ｇの透光体のパーツ板２には、アルファベット，数字，ハート形，星形，その他の文字，図形，記号をかたどった開口１０が形成されている。もって、このような開口１０にて収納空間５が形成され、対象物４として例えばビーズ等の飾り材が収納，封入される。
そして、このような装飾ケース１が、スチール壁１１等の強磁性体に対し、背面Ｂのパーツ板２に埋め込まれた磁石３の吸引力にて、組み付け保持され、もって壁飾り等として使用される。
第１２例，第１３例は、このようになっている。
【００３３】
《その他》
なお第１に、各例のパーツ板２の寸法について、肉厚を共通にするのは勿論のこと、平面の縦横寸法を例えば１：２：３：４等の倍数関係に設定しておくと、各例のパーツ板２相互間に汎用性が生じ、便利であると共にコスト面にも優れる、という利点がある。
なお第２に、パーツ板２の位置関係を明確にしたり、磁石３の磁極がＮ極かＳ極かを確認し易くする手段として、パーツ板２や磁石３に専用のマークや部分着色を施しておくと、組立てがより簡単容易化される、という利点がある。
第３に、装飾ケース１の各パーツ板２の隅部における磁石３の埋め込み方向については、図示例以外にも各種の組み合わせが可能である。つまり、図示した以外のメインタイプ，サブタイプ，ミックスタイプの各パーツ板２、およびそれらの組み合わせ例が可能である。
第４に、この装飾ケース１は、図示例以外にも、広く各種の展開例が考えられる。例えば、上面Ｅが開放された小型の略函体形状の装飾ケース１を複数個、前面Ａが開放された大型の略函体形状の装飾ケース１内に、出し入れ可能に収納し、もって全体を引き出しタンスとして利用することも考えられる。
【００３４】
《作用等》
本発明に係る装飾ケース１は、以上説明したように構成されている。そこで、以下のようになる。
（１）この装飾ケース１は組立て式よりなり、各パーツ板２が、磁石３間の磁力により組み付けられ、もって全体が略函体形状に組立てられている。
各パーツ板２は、肉厚を備えた正方形や長方形の平板状をなしている。磁石３は、少なくともパーツ板２の四隅部に埋め込まれ、埋め込まれた端面がパーツ板２から露出している。そして磁石３は、隣接するパーツ板２間で対峙位置しており、パーツ板２間で対峙位置する相互間の磁極が、Ｎ極とＳ極の異種に設定され、もって磁力として吸引力が作用する。
【００３５】
（２）代表的には、この装飾ケース１は、パーツ板２が、透明体その他の透光体よりなると共に、相互に直交する位置関係にある（図１，図２，図３の第１例，第２例，第３例を参照）。
そして多くの場合、パーツ板２は、略函体形状の前面Ａ，背面Ｂ，左側面Ｃ，右側面Ｄ，上面Ｅ，底面Ｆの配置関係において、少なくとも５面を形成しており、残りの１面が、開放されるか又はパーツ板２よりなる蓋や扉となっている。又、パーツ板２は、隅部において、２個の磁石３が直角の位置関係で埋め込まれたものが、中心的に使用されることが多い。
【００３６】
（３）又、この装飾ケース１は、パーツ板２について、面によっては開口部６を形成したり（図４の（１）図，（２）図，（３）図，（４）図の第４例，第５例，第６例，第７例を参照）、複数枚のパーツ８の集合体とすることも（図５，図６の第８例，第９例を参照）可能である。後者の場合、パーツ板２のパーツ８相互間は、対峙位置して埋め込まれた異種磁極の磁石３間の吸引力により、平面的に組み付けられる。
【００３７】
（４）この装飾ケース１は、このように略函体形状に組立てられ、内部に収納空間５が存し、もって対象物４を収納可能となっている。
そして、各種の小物が、対象物４として収納される。例えば、被服，布製身回品，アクセサリー，化粧用具，整髪用具，時計，メガネ，文房具類，ピル，飲料ボトル，食料品，ペット関連品等々が、対象物４として収納される。
【００３８】
（５）なお、特殊な装飾ケース１として、例えば、次のようなものも可能である。例えば（図７，図８の第１０例，第１１例を参照）、広い中央開口９の外周縁フレームを形成するパーツ板２を、上下対をなして用いた装飾ケース１が考えられる。この装飾ケース１にあっては、上下のパーツ板２間に、例えばペット関連品の布，紙，その他のフレキシブルで平坦な対象物４を、外周端部を挟み込んで収納する。
又、例えば（図９の（１）図，（２）図，（３）図，（４）図の第１２例，第１３例を参照）、複数枚のパーツ板２を重ねて用いると共に、中間面Ｇに介装されるパーツ板２について、各種形状の開口１０を形成した装飾ケース１も考えられる。この装飾ケース１にあっては、中間のパーツ板２の開口１０にピルを対象物４として収納し、もってピルケースとして使用したり、又は、開口１０にビーズ等を対象物４として収納すると共に、全体をスチール壁１１等の強磁性体に磁石３の吸引力にて組み付け、もって壁飾りとして使用される。
【００３９】
（６）さて、この装飾ケース１は、簡単容易に分解可能である。この装飾ケース１は、各パーツ板２について、埋め込まれた磁石３の吸引力に抗して、外方へ軽く力を加えることにより、簡単容易に、各パーツ板２間の組み付けを解いて、分解可能である。
すなわち、略函体形状の装飾ケース１について、対峙する異種磁極の磁石３間の吸引力に抗して、引張力や押圧力を加え、もって、例えば２個の磁石３が直角の位置関係で埋め込まれたパーツ板２を中心に、前後左右等に倒して行くことにより、手軽に分解状態にバラすことができる。
【００４０】
（７）これと共に、この装飾ケース１は、簡単容易に組立て可能である。上述により分解された装飾ケース１は、各パーツ板２を、所定位置関係にほぼ近づけて置くだけで、埋め込まれた磁石３間の吸引力により、各パーツ板２が自然に引き寄せられて吸着され、もって簡単容易に、元に復元可能である。
すなわち、分解された各パーツ板２を、前面Ａ，背面Ｂ，左側面Ｃ，右側面Ｄ，上面Ｅ，底面Ｆ等の配置関係を目安に、略それに近く置くだけで、後は自動的に、例えば２個の磁石３が直角の位置関係で埋め込まれたパーツ板２を中心に、対峙する異種磁極の磁石３間の吸引力により各パーツ板２が吸着され、もって、元の略函体形状の組立て状態に、正確な位置関係で復元される。
【００４１】
（８）さてそこで、本発明の装飾ケース１によると、次の第１，第２，第３，第４，第５のようになる。
第１に、この装飾ケース１は、上述したように、簡単容易に分解可能であると共に、簡単容易に元の組立て状態に復元可能である。そこで、随時何回でも好きな時に好きなだけ、分解する楽しみや組立てる喜びを体感できる。
【００４２】
第２に、この装飾ケース１は、上述したように、分解可能そして組立て復元可能である。そこで使用により、あるパーツ板２のみが部分的に損傷した場合は、まず、その損傷したパーツ板２を、磁石３間の吸引力に抗して引張力を加え、もって他のパーツ板２との組み付きを解き、分解して除去する。それから、そのパーツ板２を修理したり、代わりの取換用のパーツ板２を手配してから、修理品や取換品のパーツ板２を、所定位置関係に近づけて置くだけで、後は磁石３間の吸引力により、元通り正確に他のパーツ板２に組み付けられる。
このように、この装飾ケース１は、損傷したパーツ板２のみを簡単容易に、修理や取換交換可能である。
【００４３】
第３に、この装飾ケース１は、略函体形状をなし、内部の収納空間５に各種小物が、対象物４として収納される。そこで、収納される対象物４や取り扱う手先等からは、出し入れや収納保管に伴い、汚れ，垢，ゴミ，ホコリ等が発生し易く、内部等に付着し易い。例えば、収納物４がペット関連品の場合は、ペットの毛，よだれ，汗，その他が、パーツ板２に付着し易い。
これに対し、この装飾ケース１は、上述したように分解可能そして組立て復元可能なので、各パーツ板２をバラバラに分解して、それぞれ個別に洗浄等することにより、確実に掃除できる。もって内部等を、簡単容易に清潔に保つことができる。
【００４４】
第４に、この装飾ケース１は、上述したように、分解可能そして組立て可能なので、不使用時は分解して、まとめて１箇所に積み重ねておくことにより、スペースを取らずに保管できる。
すなわち、略函体形状の組立て使用時において、内部に広く形成されていた対象物４の収納空間５の容積・体積が、そのまま不使用時にも維持されることはなく、不使用時においては、大幅にコンパクト化される。
【００４５】
第５に、この装飾ケース１は、各パーツ板２を透明体その他の透光体とした場合は、各所に埋め込まれた多数の磁石３が、ポイントとなってアクセント的に浮き出し、もって独特の趣味感が生じると共に、内部に収納された対象物４を、見せて鑑賞させたり、見て理解，確認することができる。その際、随時適当なパーツ板２を分解，取り外しすることにより、意外性を伴いつつ対象物４を取り出すこともできる。
【図面の簡単な説明】
【００４６】
【図１】本発明に係る装飾ケースについて、発明を実施するための最良の形態の説明に供し、第１例を示し、（１）図は分解斜視図、（２）図は概略斜視図である。
【図２】同発明を実施するための最良の形態の説明に供し、第２例を示し、（１）図は分解斜視図、（２）図は概略斜視図である。
【図３】同発明を実施するための最良の形態の説明に供し、第３例を示し、（１）図は分解斜視図、（２）図は概略斜視図である。
【図４】同発明を実施するための最良の形態の説明に供し、概略斜視図であり、（１）図は第４例を、（２）図は第５例を、（３）図は第６例を、（４）図は第７例を示す。
【図５】同発明を実施するための最良の形態の説明に供し、第８例を示し、（１）図は分解斜視図、（２）図は概略斜視図である。
【図６】同発明を実施するための最良の形態の説明に供し、第９例を示し、（１）図は分解斜視図、（２）図は概略斜視図である。
【図７】同発明を実施するための最良の形態の説明に供し、第１０例を示し、（１）図は分解斜視図、（２）図は概略斜視図である。
【図８】同発明を実施するための最良の形態の説明に供し、第１１例を示し、（１）図は分解斜視図、（２）図は概略斜視図である。
【図９】同発明を実施するための最良の形態の説明に供し、（１）図は、第１２例の分解斜視図、（２）図は、同第１２例の概略斜視図である。（３）図は、第１３例の正面図、（４）図は、同第１３例の側断面図である。
【符号の説明】
【００４７】
１  装飾ケース
２  パーツ板
３  磁石
４  対象物
５  収納空間
６  開口部
７  蓋
８  パーツ
９  中央開口
１０  開口
１１  スチール壁
Ａ  前面
Ｂ  背面
Ｃ  左側面
Ｄ  右側面
Ｅ  上面
Ｆ  底面
Ｇ  中間面
【図１】
2006199307.tif 000003
【図２】
2006199307.tif 000004
【図３】
2006199307.tif 000005
【図４】
2006199307.tif 000006
【図５】
2006199307.tif 000007
【図６】
2006199307.tif 000008
【図７】
2006199307.tif 000009
【図８】
2006199307.tif 000010
【図９】
2006199307.tif 000011